(57)【要約】  本発明の一態様は、レジン床において、ＣＡＤ／ＣＡＭによりレジンディスクを加工して製造されており、スクリュー固定用の貫通孔が形成されている。
2018159059.tif 000002
【特許請求の範囲】
【請求項１】
ＣＡＤ／ＣＡＭによりレジンディスクを加工して製造されており、
スクリュー固定用の貫通孔が形成されていることを特徴とするレジン床。
【請求項２】
ＪＩＳ  Ｔ  ６５１８による曲げ強さ及びビッカース硬さが、それぞれ５０〜１５０ＭＰａ及び１２〜２８Ｈｖ０．２である、又は、ＪＩＳ  Ｔ  ６５１７による曲げ強さ及びビッカース硬さが、それぞれ５０〜３００ＭＰａ及び１８〜１１０Ｈｖ０．２であるレジンを含み、
スクリュー固定用の貫通孔が形成されていることを特徴とするレジン床。
【請求項３】
請求項１に記載のレジン床と、
前記レジン床の固定に用いられるスクリューと、
前記スクリューで前記レジン床を固定することが可能なフィクスチャーを有することを特徴とする義歯床システム。
【請求項４】
前記レジン床は、前記フィクスチャーの形状に対応するように加工されていることを特徴とする請求項３に記載の義歯床システム。
【請求項５】
請求項１に記載のレジン床と、
前記レジン床の固定に用いられる第１のスクリューと、
前記第１のスクリューで前記レジン床を固定することが可能なアバットメントと、
前記アバットメントの固定に用いられる第２のスクリューと、
前記第２のスクリューで前記アバットメントを固定することが可能なフィクスチャーを有することを特徴とする義歯床システム。
【請求項６】
前記レジン床は、前記アバットメントの形状に対応するように加工されていることを特徴とする請求項５に記載の義歯床システム。
【発明の詳細な説明】
【技術分野】
【０００１】
本発明は、レジン床及び義歯床システムに関する。
【背景技術】
【０００２】
義歯（入れ歯）には、部分義歯（部分入れ歯）、総義歯（総入れ歯）がある。【０００３】
部分義歯（部分入れ歯）は、上顎及び／又は下顎の一部の歯を喪失した場合に、喪失した歯の機能を局所的に補うものである。【０００４】
総義歯（総入れ歯）は、上顎及び／又は下顎の全ての歯を喪失した場合に、喪失した歯の機能を補うものである。【０００５】
ここで、義歯（入れ歯）は、人工歯と、レジン床を有するが、口腔内での安定性が低い。【０００６】
一方、インプラント義歯（可撤式インプラント）は、アタッチメントにより義歯がフィクスチャー（人工歯根）に取り付けられている（例えば、特許文献１参照）。【０００７】
アタッチメントとしては、ボールアタッチメント、バーアタッチメント、マグネットアタッチメント等が用いられている。
【先行技術文献】
【特許文献】
【０００８】
【特許文献１】国際公開第２０１２／１３２０５７号
【発明の概要】
【発明が解決しようとする課題】
【０００９】
しかしながら、インプラント義歯の口腔内での安定性をさらに向上させることが望まれている。【００１０】
また、トレーレジンを用いて、レジン床を製造すると、レジン床の強度が不十分になる場合があることに加え、レジン床を研磨して形状を調整する必要がある。【００１１】
本発明の一態様は、強度に優れ、形状の調整が容易であり、義歯の口腔内での安定性を向上させることが可能なレジン床を提供することを目的とする。
【課題を解決するための手段】
【００１２】
本発明の一態様は、レジン床において、ＣＡＤ／ＣＡＭによりレジンディスクを加工して製造されており、スクリュー固定用の貫通孔が形成されている。【００１３】
本発明の一態様は、レジン床において、ＪＩＳ  Ｔ  ６５１８による曲げ強さ及びビッカース硬さが、それぞれ５０〜１５０ＭＰａ及び１２〜２８Ｈｖ０．２である、又は、ＪＩＳ  Ｔ  ６５１７による曲げ強さ及びビッカース硬さが、それぞれ５０〜３００ＭＰａ及び１８〜１１０Ｈｖ０．２であるレジンを含み、スクリュー固定用の貫通孔が形成されている。
【発明の効果】
【００１４】
本発明の一態様によれば、強度に優れ、形状の調整が容易であり、義歯の口腔内での安定性を向上させることが可能なレジン床を提供することができる。
【図面の簡単な説明】
【００１５】
【図１】本実施形態のレジン床の一例を示す図である。
【図２】本実施形態の義歯床システムの一例を示す図である。
【図３】図２の義歯床システムの使用方法の一例を説明する図である。
【図４】図２の義歯床システムの使用方法の一例を説明する図である。
【図５】本実施形態の義歯床システムの他の例を示す図である。
【図６】図５の義歯床システムの使用方法の一例を説明する図である。
【発明を実施するための形態】
【００１６】
次に、本発明を実施するための形態を説明する。
【００１７】
図１に、本実施形態のレジン床の一例を示す。
【００１８】
レジン床１０は、総義歯用であり、公知のＣＡＤ／ＣＡＭによりレジンディスクＤを加工して製造されている。このため、レジン床１０は、強度に優れ、形状の調整が容易である。
【００１９】
レジンディスクＤは、ＣＡＤ／ＣＡＭ加工用であり、一般に、ＪＩＳ  Ｔ  ６５１８（あるいはＪＩＳ  Ｔ  ６５１７）による曲げ強さ及びビッカース硬さが、それぞれ５０〜１５０ＭＰａ（あるいは５０〜３００ＭＰａ）及び１２〜２８Ｈｖ０．２（あるいは１８〜１１０Ｈｖ０．２）である。
【００２０】
レジンディスクＤを構成する材料としては、特に限定されないが、ポリメタクリル酸メチル（ＰＭＭＡ）、ポリカーボネート、ポリスルホン、ポリエーテルスルホン等が挙げられる。
【００２１】
また、レジンディスクＤには、ガラスなどのフィラーが含まれていてもよい。
【００２２】
レジン床１０に、スクリュー固定用の貫通孔１１が６個形成されている。このため、レジン床１０を６個のスクリューで、必要に応じて、アバットメントを介して、歯槽骨に埋設されている６個のフィクスチャーに固定することができ、その結果、総義歯の口腔内での安定性を向上させることができる。
【００２３】
なお、レジン床１０に形成するスクリュー固定用の貫通孔１１の個数は、必要に応じて、適宜調整することができる。
【００２４】
レジン床１０の形状は、フィクスチャー又はアバットメントに対応する形状に加工されていれば、特に限定されない。
【００２５】
スクリュー固定用の貫通孔１１の平均孔径は、スクリューの直径に応じて適宜調整することができるが、通常、２〜５ｍｍである。
【００２６】
なお、レジン床１０の支台部分に、テーパーが形成されていてもよい。
【００２７】
また、レジン床１０は、メタルワイヤー（金属線）、レジンワイヤー（樹脂線）等により補強されていてもよい。
【００２８】
図２に、本実施形態の義歯床システムの一例を示す。
【００２９】
義歯床システム２０は、スクリュー固定用の貫通孔が２個形成されているレジン床２１と、レジン床２１の固定に用いられる２個のスクリュー２２と、スクリュー２２でレジン床２１を固定することが可能な２個のフィクスチャー２３を有する。
【００３０】
レジン床２１は、奥歯が２本連続して喪失した場合の部分義歯用であり、スクリュー固定用の貫通孔が２個形成されている以外は、レジン床１０と同様である。
【００３１】
なお、レジン床２１に形成されているスクリュー固定用の貫通孔の個数は、歯の喪失状態に応じて、適宜調整することができる。
【００３２】
レジン床２１は、フィクスチャー２３の上面の形状に対応するように加工されている。このため、義歯の口腔内での安定性を向上させることができる。
【００３３】
スクリュー２２を構成する材料としては、特に限定されないが、セラミックス、金属等が挙げられる。
【００３４】
スクリュー２２の直径は、通常、２〜５ｍｍである。
【００３５】
なお、スクリュー２２の個数は、レジン床２１に形成するスクリュー固定用の貫通孔の個数と同一である。
【００３６】
フィクスチャー２３に、スクリュー２２の形状に対応するスクリュー孔が形成されている。
【００３７】
フィクスチャー２３を構成する材料としては、特に限定されないが、チタン、チタン合金等が挙げられる。
【００３８】
なお、フィクスチャー２３の個数は、レジン床２１に形成するスクリュー固定用の貫通孔の個数と同一である。
【００３９】
次に、図３を用いて、義歯床システム２０の使用方法の一例を説明する。
【００４０】
まず、歯肉Ｇ内の喪失した奥歯が生えていた部分の歯槽骨に２個のフィクスチャー２３を埋設する。次に、２個のフィクスチャー２３上に、レジン床２１を載置した後、２個のスクリュー２２でレジン床２１を固定する。次に、スクリュー２２で固定されたレジン床２１の貫通孔Ｈの空間をワッテ（綿花）３１で埋めた後、仮封材３２で仮封する。
【００４１】
仮封材３２としては、例えば、テンポラリーストッピング（ジーシー社製）を用いることができる。
【００４２】
最後に、レジン床２１の上部に、人工歯４１をセメントで固定する（図４参照）。
【００４３】
人工歯４１は、奥歯が２本連続して喪失した場合の部分義歯用である。
人工歯４１を構成する材料としては、特に限定されないが、セラミックス、金属等が挙げられる。
【００４４】
なお、人工歯４１は、咬合面に、スクリュー固定用の貫通孔が２個形成されていてもよい。この場合、人工歯４１をスクリューで固定することができる。
【００４５】
図５に、本実施形態の義歯床システムの他の例を示す。
【００４６】
義歯床システム５０は、義歯床システム２０と同様に、スクリュー固定用の貫通孔が２個形成されているレジン床５１と、レジン床５１の固定に用いられる２個のスクリュー５２を有する。
【００４７】
義歯床システム５０は、スクリュー５２でレジン床５１を固定することが可能な２個のアバットメント５３と、アバットメント５３の固定に用いられる２個のスクリュー５４と、スクリュー５４でアバットメント５３を固定することが可能な２個のフィクスチャー５５をさらに有する。
【００４８】
義歯床システム５０は、アバットメント５３を有するため、スクリュー５２が破折しにくくなる。
【００４９】
レジン床５１は、アバットメント５３の上面の形状に対応するように加工されている以外は、レジン床２０と同様である。
【００５０】
スクリュー５２、５４を構成する材料としては、特に限定されないが、セラミックス、金属等が挙げられる。
【００５１】
スクリュー５２、５４の直径は、通常、２〜５ｍｍである。
【００５２】
なお、スクリュー５２の直径は、スクリュー５４の直径と同一であってもよいし、異なっていてもよい。
【００５３】
また、スクリュー５２、５４の個数は、レジン床５１に形成するスクリュー固定用の貫通孔の個数と同一である。
【００５４】
アバットメント５３は、スクリュー５２の形状に対応するスクリュー孔が形成されている。
【００５５】
アバットメント５３としては、例えば、アバットメントシリンダーを用いることができる。
【００５６】
フィクスチャー５５は、スクリュー５４の形状に対応するスクリュー孔が形成されている以外は、フィクスチャー２３と同様である。
【００５７】
次に、図６を用いて、義歯床システム５０の使用方法の一例を説明する。
【００５８】
まず、歯肉Ｇ内の喪失した奥歯が生えていた部分の歯槽骨に２個のフィクスチャー５５を埋設する。次に、各フィクスチャー５５上に、アバットメント５３を嵌合させた後、スクリュー５４でアバットメント５３を固定する。さらに、２個のアバットメント５３上に、レジン床５１を載置した後、２個のスクリュー５２でレジン床５１を固定する。次に、スクリュー５２で固定されたレジン床５１の貫通孔Ｈの空間をワッテ（綿花）６１で埋めた後、仮封材６２で仮封する。
【００５９】
仮封材６２としては、例えば、テンポラリーストッピング（ジーシー社製）を用いることができる。
【００６０】
最後に、セメント、スクリュー等を用いて、レジン床５１上に、人工歯を固定する。
【００６１】
本国際出願は、２０１７年２月２８日に出願された日本国特許出願２０１７−０３７６５４に基づく優先権を主張するものであり、日本国特許出願２０１７−０３７６５４の全内容を本国際出願に援用する。
【符号の説明】
【００６２】
１０    レジン床
１１    スクリュー固定用の貫通孔
Ｄ    レジンディスク
２０、５０    義歯床システム
２１、５１    レジン床
２２、５２、５４    スクリュー
２３、５５    フィクスチャー
５３    アバットメント
Ｈ    貫通孔
３１、６１    ワッテ（綿花）
３２、６２    仮封材
Ｇ    歯肉
４１    人工歯
【図１】
2018159059.tif 000003
【図２】
2018159059.tif 000004
【図３】
2018159059.tif 000005
【図４】
2018159059.tif 000006
【図５】
2018159059.tif 000007
【図６】
2018159059.tif 000008
【国際調査報告】
2018159059.tif 000009
2018159059.tif 000010
2018159059.tif 000011
2018159059.tif 000012